(57)【要約】【課題】乗りかご内で暴力を伴なう犯罪が発生したとみなせる映像があるとき、犯罪発生時点の前後一定時間の映像、または映像と音声を証拠記録として保存し、実際に犯罪が行われた状況を確実、かつ客観的に証明して乗りかご内の犯罪を抑制する。【解決手段】監視カメラ２によって得られた乗りかご内の映像を映像解析装置５により解析して、犯罪発生の有無を判定する。犯罪が発生したとき、犯罪発生時点から一定時間だけ遡った時点を起点とし、犯罪発生時点から一定時間後を終点とする動画、あるいは連続静止画に音声と、カレンダ情報とを付加して、証拠記録装置８に記録する。【選択図】図１
2007223691.tif 000002
【特許請求の範囲】
【請求項１】
乗りかご内の音声を録音して得られた音声信号を一時記録する音声記録装置と、
前記乗りかご内を撮影して得られた映像信号を一時記録する映像記録装置と、
この映像記録装置に一時記録された映像信号を解析して、通常の映像と異なる映像特異点を抽出する映像解析装置と、
この映像解析装置によって映像特異点が抽出されたとき、前記映像記録装置に一時記録される映像信号のうち、映像特異点から一定時間遡った時点を起点とし、前記映像特異点から一定時間経過した時点を終点とした映像信号、または前記音声記録装置に一時記録される音声信号のうち、映像特異点から一定時間遡った時点を起点とし、前記映像特異点から一定時間経過した時点を終点とした音声信号を取り込んで、記録媒体に記録する証拠記録装置と、
を備えたことを特徴とするエレベータシステム。
【請求項２】
請求項１に記載のエレベータシステムにおいて、
前記映像解析装置は、前記映像記録装置で一時記録される映像信号中に、一定速度以上で動く物体の映像があるとき、この映像を前記映像特異点として抽出する、
ことを特徴とするエレベータシステム。
【請求項３】
乗りかご内を撮影して得られた映像信号を一時記録する映像記録装置と、
前記乗りかご内の音声を録音して得られた音声信号を一時記録する音声記録装置と、
この音声記録装置に一時記録される音声信号を解析して、通常の音声と異なる音声特異点を抽出する音声解析装置と、
この音声解析装置によって、音声特異点が抽出されたとき、前記映像記録装置に一時記録される映像信号のうち、音声特異点から一定時間遡った時点を起点とし、前記音声特異点から一定時間経過した時点を終点とした映像信号、または前記音声記録装置に一時記録される音声信号のうち、音声特異点から一定時間遡った時点を起点とし、前記音声特異点から一定時間経過した時点を終点とした音声信号を取り込んで、記録媒体に記録する証拠記録装置と、
を備えたことを特徴とするエレベータシステム。
【請求項４】
請求項３に記載のエレベータシステムにおいて、
前記音声解析装置は、前記音声記録装置で一時記録される音声信号中に、ある特定の単語、または特定の周波数成分を含む音声信号があるとき、この音声信号を前記音声特異点として抽出する、
ことを特徴とするエレベータシステム。
【請求項５】
請求項１乃至４のいずれか１項に記載のエレベータシステムにおいて、
前記証拠記録装置は、取り外し自在にされたリムーバル記録媒体を備え、前記映像記録装置から映像信号が出力され、前記音声記録装置から音声信号が出力されたとき、これら映像信号、音声信号を取り込んで前記リムーバル記録媒体に記録する、
ことを特徴とするエレベータシステム。
【請求項６】
請求項１乃至５のいずれか１項に記載のエレベータシステムにおいて、
前記映像解析装置によって前記映像特異点が抽出されたとき、または前記音声解析装置によって前記音声特異点が抽出されたとき、エレベータ制御装置に防犯運転を行わせる、
ことを特徴とするエレベータシステム。
【請求項７】
請求項１乃至５のいずれか１項に記載のエレベータシステムにおいて、
前記映像解析装置によって前記映像特異点が抽出されたとき、または前記音声解析装置によって前記音声特異点が抽出されたとき、エレベータ制御装置に防犯運転を行わせ、前記乗りかごを最寄り階に停止させて、戸開させるとともに、各階に設けられた回転灯の点灯、またはベルの鳴動を開始させる、
ことを特徴とするエレベータシステム。
【請求項８】
請求項１乃至５のいずれか１項に記載のエレベータシステムにおいて、
前記映像解析装置によって前記映像特異点が抽出されたとき、または前記音声解析装置によって前記音声特異点が抽出されたとき、遠隔通報装置を介して、遠隔地にあるエレベータ保守会社、警備会社、警察署のうち、少なくともいずれかに連絡する、
ことを特徴とするエレベータシステム。
【発明の詳細な説明】
【技術分野】
【０００１】
本発明は、マンションなどの建物に設置されるエレベータシステムに係わり、特に乗りかご内の撮影画像、音声などを自動的に解析して、犯罪行為時の撮影画像、音声などを記録するエレベータシステムに関する。
【背景技術】
【０００２】
近年の防犯意識の向上に伴い、防犯目的で監視カメラ装置を設置する共同住宅が増えている。共同住宅での監視カメラは、共有部となるエントランスホールや、駐車場、駐輪場、ゴミ集積所、エレベータホール、エレベータの乗りかご内などに設置することが多い。特に、エレベータの乗りかご内は、エレベータが戸閉して目的階に走行を始めると、一種の密室になり、犯罪が発生しやすい状況になるために、監視カメラを設置して欲しいという要望が多い場所である。
【０００３】
このような監視カメラのうち、乗りかご内の犯罪を抑制させる機能を持つものとして、従来、特公平６−７４１１４号公報に記載された装置のように、画像解析によって乗客を検出し、その位置関係や音声、振動などによって犯罪の可能性を数値化し、その可能性が高い場合に、乗りかごの走行を停止させて、戸開させたり、警告を発したりする機構を持つものが提案されている。
【特許文献１】特公平６−７４１１４号公報
【発明の開示】
【発明が解決しようとする課題】
【０００４】
このような監視カメラでは、画像解析によって乗客を検出し、その性別や人数、位置関係などによって犯罪可能性を算出するようにしている。その際、閉曲線周囲長、面積などに基づいて乗客を検出し、犯罪の有無を判定するようにしているので、季節毎の服装などによって大きな誤差が出てしまい、実際の犯罪行為が行われている状況下では、機能しない恐れがあった。
【０００５】
また、犯罪の可能性を管理室などへ示唆し、あるいは犯罪を行おうとする者に対し、警告するだけの機能しか持たないことから、実際の犯罪が行われた状況を客観的に証明することが難しいという問題があった。
【０００６】
さらに、昨今のマンションでは、管理費を低減させるために管理人を常駐させることが少ないため、管理人室に通報しても、この通報に対して確実に対応することが難しいという問題があった。
【０００７】
本発明は上記の事情に鑑み、乗りかご内で暴力を伴なう犯罪が発生したとみなせる映像があるとき、犯罪発生時点の前後一定時間の映像、または映像と音声を証拠記録として保存させて、実際に犯罪が行われた状況を確実、かつ客観的に証明させ、乗りかご内の犯罪を抑制することができるエレベータシステムを提供することを目的としている。
【課題を解決するための手段】
【０００８】
上記の目的を達成するために本発明は、乗りかご内の音声に対応する音声信号を一時記録する音声記録装置と、前記乗りかご内を撮影して得られた映像を一時記録する映像記録装置と、この映像記録装置に一時記録される映像信号を解析して、通常の映像と異なる映像特異点を抽出する映像解析装置と、この映像解析装置によって、映像特異点が抽出されたとき、前記映像記録装置に一時記録される映像信号のうち、映像特異点から一定時間遡った時点を起点とし、前記映像特異点から一定時間経過した時点を終点とした映像信号、または前記音声記録装置に一時記録される音声信号のうち、映像特異点から一定時間遡った時点を起点とし、前記映像特異点から一定時間経過した時点を終点とした音声信号を取り込んで、記録媒体に記録する証拠記録装置とを備えたことを特徴としている。
【０００９】
また、前記映像解析装置は、前記映像記録装置で一時記録される映像信号中に、一定速度以上で動く物体の映像があるとき、この映像を前記映像特異点として抽出することを特徴としている。
【００１０】
また、本発明の他の形態では、乗りかご内を撮影して得られた映像を一時記録する映像記録装置と、前記乗りかご内の音声に対応する音声信号を一時記録する音声記録装置と、この音声記録装置に一時記録される音声信号を解析して、通常の音声と異なる音声特異点を抽出する音声解析装置と、この音声解析装置によって、音声特異点が抽出されたとき、前記映像記録装置に一時記録される映像信号のうち、音声特異点から一定時間遡った時点を起点とし、前記音声特異点から一定時間経過した時点を終点とした映像信号、または前記音声記録装置に一時記録される音声信号のうち、音声特異点から一定時間遡った時点を起点とし、前記音声特異点から一定時間経過した時点を終点とした音声信号を取り込んで、記録媒体に記録する証拠記録装置とを備えたことを特徴としている。
【００１１】
また、前記音声解析装置は、前記音声記録装置で一時記録される音声信号中に、ある特定の単語、または特定の周波数成分を含む音声信号があるとき、この音声信号を前記音声特異点として抽出する。
【００１２】
また、前記証拠記録装置は、取り外し自在にされたリムーバル記録媒体がセットされ、前記映像記録装置から映像信号が出力され、前記音声記録装置から音声信号が出力されたとき、これら映像信号、音声信号を取り込み、前記リムーバル記録媒体に記録する。
【００１３】
また、前記映像解析装置によって前記映像特異点が抽出されたとき、または前記音声解析装置によって、前記音声特異点が抽出されたとき、エレベータ制御装置に防犯運転を行わせる。
【００１４】
また、前記映像解析装置によって前記映像特異点が抽出されたとき、または前記音声解析装置によって、前記音声特異点が抽出されたとき、エレベータ制御装置に防犯運転を行わせ、前記乗りかごを最寄り階に停止させて、戸開させるとともに、各階に設けられた回転灯の点灯、またはベルの鳴動を開始させる。
【００１５】
また、前記映像解析装置によって前記映像特異点が抽出されたとき、または前記音声解析装置によって、前記音声特異点が抽出されたとき、遠隔通報装置を介して、遠隔地にあるエレベータ保守会社、警備会社、警察署のうち、少なくともいずれか１つ以上に緊急連絡を送信する。
【発明の効果】
【００１６】
本発明によれば、乗りかご内で暴力を伴なう犯罪が発生したとみなせる映像または音声があるとき、犯罪発生時点の前後一定時間の映像または音声、若しくは映像と音声を証拠記録として保存することができ、実際に犯罪が行われた状況を確実、かつ客観的に証明できるので、乗りかご内の犯罪を抑制することができる。
【発明を実施するための最良の形態】
【００１７】
《第１実施形態》
図１は本発明によるエレベータシステムの第１実施形態を示すブロック図である。
【００１８】
この図に示すエレベータシステム１は、監視カメラ２と、映像記録装置３と、映像解析装置５と、マイク６と、音声記録装置７と、証拠記録装置８とを備えている。
【００１９】
監視カメラ２は、エレベータの乗りかご内を見通せる場所、例えば天井隅などに設置されており、乗りかご内を撮影して得られた映像信号を映像記録装置３に供給する。
【００２０】
映像記録装置３は、乗りかご上、またはエレベータの乗り場などに設置されており、監視カメラ２から出力される映像信号を取り込み、カレンダＩＣチップなどから出力されるカレンダ情報（年月時分秒）とともに、所定時間（例えば、３分程度）の映像記憶容量を持つ半導体メモリやハードディスク機構などの記録媒体に記録し、また、この映像信号を映像解析装置５に供給する。そして、映像解析装置５から映像特異点情報が出力されたとき、カレンダＩＣチップなどから出力されるカレンダ情報を使用して、記録媒体に記録している映像信号を読み出し、犯罪発生時点（映像特異点情報が出力時点）を挟んだ前後の所定時間、例えば、３０秒だけ遡った時点を始点とし、犯罪発生時点から、例えば、２分間経った時点を終点とする動画、あるいは連続静止画を生成して、カレンダ情報を付加し、証拠記録装置８に供給する。
【００２１】
映像解析装置５は、乗りかご上、またはエレベータの乗り場などに設置されており、映像記録装置３からカレンダ情報とともに出力される映像信号を解析して、乗客の動きなどから犯罪が発生しているかどうかを判定し、犯罪が発生していると判定したとき、映像特異点情報を生成して、映像記録装置３と音声記録装置７とに供給する。
【００２２】
また、マイク６は、エレベータの乗りかごに取り付けられており、乗りかご内の音声を音声信号にして音声記録装置７に供給する。
【００２３】
音声記録装置７は、乗りかご上、またはエレベータの乗り場などに設置されており、マイク６から出力される音声信号を取り込み、カレンダＩＣチップなどから出力されるカレンダ情報（年月時分秒）とともに、所定時間（例えば、３分程度）の映像記憶容量を持つ、半導体メモリ、ハードディスク機構などの記録媒体に記録しながら、映像解析装置５から映像特異点情報が出力されたとき、カレンダＩＣチップなどから出力されるカレンダ情報を使用して、記録媒体に記録している音声信号のうち、犯罪発生時点（映像特異点情報が出力時点）を挟んだ前後の所定時間、例えば、犯罪発生時点から３０秒だけ遡った時点を始点とし、犯罪発生時点から、２分間経過した時点を終点とする音声信号を読み出して、カレンダ情報を付加し、証拠記録装置８に供給する。
【００２４】
証拠記録装置８は、管理室などに設置されており、映像記録装置３から映像信号が出力され、音声記録装置７から音声信号が出力される毎に、移動ケーブル(テールケーブル)などを介して、これらを取り込む。これらの映像信号や音声信号は制御ソフトなどにより上書き消去などができないようにされ、また、取り外し、持ち運びが容易にされたＳＤカード、メモリスティックなどの半導体メモリ、あるいはハードディスクパックなどに記録される。
【００２５】
このように、第１実施形態によれば、乗りかご内で暴力を伴なう犯罪が発生したとみなせる映像があるとき、犯罪発生時点の前後一定時間の映像、または映像と音声を証拠記録として保存して、実際に犯罪が行われた状況を確実、かつ客観的に証明し、乗りかご内の犯罪を抑制することができる。
【００２６】
《第２実施形態》
次に、本発明によるエレベータシステムの第２実施形態について説明する。なお、基本構成は図１と同様であるため、図１を援用して説明する。
【００２７】
第２実施形態のエレベータシステムにおいて、映像解析装置５は、乗りかご内に一定速度以上で動く物体があるとき、犯罪が発生していると判定して、犯罪発生時点から一定時間だけ遡った時点を起点とし、犯罪発生時点から一定時間後を終点とする動画、あるいは連続静止画に音声と、カレンダ情報とを付加させて、証拠記録装置８に記録するようにしている。
【００２８】
ある物体の移動速度が一定以上であれば、何らかの暴力を伴う犯罪行為が行われていたり、暴力を受ける側が回避行動を取っている可能性が高いといえる。このため、第２実施形態の映像解析装置５は、図２に示すように、監視カメラ２から出力される映像信号を所定周期毎にサンプリングして得られる映像、例えばｎ番目の映像９とｍ番目の映像９とを比較して、同じ物体１０の移動距離、各映像９間のサンプリング間隔(ｍ−ｎ)から物体１０の移動速度を計算する。そして、移動速度が一定速度以上であるとき、犯罪行為が行われていると判定して、映像特異点情報を生成し、映像記録装置３と音声記録装置７とに供給する。
【００２９】
これにより、映像記録装置３から所定時間前、例えば３０秒前から２分後までの映像信号が読み出され、カレンダ情報が付加され、証拠記録装置８に供給されて記録される。また、音声記録装置７から所定時間前、例えば３０秒前から２分後までの音声信号が読み出され、カレンダ情報が付加され、証拠記録装置８に供給されて記録される。
【００３０】
このように、第２実施形態によれば、乗りかご内で一定速度以上で動く物体があるとき、乗りかご内で暴力を伴なう犯罪が発生したと判定して、犯罪発生時点の前後一定時間の映像、または映像と音声を証拠記録として保存し、これによって実際に犯罪が行われた状況を確実、かつ客観的に証明して乗りかご内の犯罪を抑制することができる。
【００３１】
この際、犯罪行為は素手による場合もあれば、凶器による場合もあることから、一定速度以上で移動する物体１０が人間の腕であるか、棒などの無機物であるかなど、物体１０の種類を問う必要が無いことから、犯罪行為、あるいはそれに伴う回避行為の可能性が少しでもあるとき、これら全ての状況を記録することができる。
【００３２】
《第３実施形態》
図３は本発明によるエレベータシステムの第３実施形態を示すブロック図である。なお、この図において、図１に示す各部と対応する部分には、同じ符号が付してある。
【００３３】
第３実施形態のエレベータシステム１では、映像解析装置５に代えて、音声解析装置１１を設け、マイク６から出力される音声信号を音声解析して、犯罪発生の有無を判定するようにしている。
【００３４】
音声解析装置１１は、乗りかご上、またはエレベータの乗り場などに設置されており、音声記録装置７からカレンダ情報とともに出力される音声信号を解析して、乗客が発した音声の大きさ、あるいは乗りかご内で発生した物音の大きさなどに基づき、犯罪が発生しているかどうかを判定し、犯罪が発生していると判定したとき、音声特異点情報を生成して、映像記録装置３と音声記録装置７とに供給する。
【００３５】
これにより、映像記録装置３から所定時間前、例えば３０秒前から２分後までの映像信号が読み出されてカレンダ情報が付加され、証拠記録装置８に供給されて記録される。また、音声記録装置７から所定時間前、例えば３０秒前から２分後までの音声信号が読み出されてカレンダ情報が付加され、証拠記録装置８に供給されて記録される。
【００３６】
このように、第３実施形態によれば、乗りかご内で暴力を伴なう犯罪が発生したとみなせる音声があるとき、犯罪発生時点の前後一定時間の映像、または映像と音声を証拠記録として保存して、実際に犯罪が行われた状況を確実、かつ客観的に証明して、乗りかご内の犯罪を抑制することができる。
【００３７】
《第４実施形態》
次に、本発明によるエレベータシステムの第４実施形態を説明する。なお、基本構成は図３と同様であるため、図３を援用して説明する。
【００３８】
第４実施形態のエレベータシステム１では、音声解析装置１１は乗客が発した音声が特定の単語、または特徴的な高音部の周波数成分を含むときなどに、犯罪が発生していると判定し、犯罪発生時点から一定時間だけ遡った時点を起点とし、犯罪発生時点から一定時間後を終点とする動画、あるいは連続静止画に音声と、カレンダ情報とを付加して、証拠記録装置８に記録させるようにしている。
【００３９】
この場合、音声解析装置１１は、音声記録装置７からカレンダ情報とともに出力される音声信号を音声認識、音声解析して、特定の単語、例えば「助けて」、「誰か」、「やめて」、「やめろ」など、犯罪被害に遭った人物が発する可能性が高い単語が含まれているとき、あるいは特定の周波数成分、例えば女性の悲鳴に特徴的な高音部の周波数成分を含まれているとき、犯罪行為が行われていると判定して、音声特異点情報を生成し、映像記録装置３と音声記録装置７とに供給する。
【００４０】
これにより、映像記録装置３から所定時間前、例えば３０秒前から２分後までの映像信号が読み出されてカレンダ情報が付加され、証拠記録装置８に供給されて記録されるとともに、音声記録装置７から所定時間前、例えば３０秒前から２分後までの音声信号が読み出されてカレンダ情報が付加され、証拠記録装置８に供給されて記録される。
【００４１】
このように、第４実施形態によれば、乗りかご内で特定の単語、または叫び声などの無言語が発せられたとき、乗りかご内で暴力を伴なう犯罪が発生したと判定して、犯罪発生時点の前後一定時間の映像、または映像と音声を証拠記録として保存し、これによって実際に犯罪が行われた状況を確実、かつ客観的に証明して、乗りかご内の犯罪を抑制することができる。
【００４２】
《第５実施形態》
図４は本発明によるエレベータシステムの第５実施形態を示す概略構成図である。なお、この図において、図１に示す各部と対応する部分には、同じ符号が付してある。
【００４３】
第５実施形態のエレベータシステム１では、乗りかご１３上に音声／映像ユニットボックス１２と、証拠記録装置８とを配置し、証拠記録装置８の開口部１４から証拠映像、証拠音声などを記録したメモリカード１５を簡単に取り出せるようにしている。
【００４４】
このように、第５実施形態によれば、証拠記録装置８などを分解することなく、乗りかご１３内で発生した犯罪行為時の映像、音声を記録したメモリカード１５を取り出せ、証拠品として提出することができ、犯罪の早期解決を図ることができる。
【００４５】
また、第５実施形態では、証拠記録装置８を音声／映像ユニットボックス１２から独立させて配置させ、メモリカード１５を容易に取り出せるようにしているが、音声／映像ユニットボックス１２内に証拠記録装置８を配置させ、音声／映像ユニットボックス１２に形成した開口部からメモリカード１５を取り出せるようにしても良い。
【００４６】
また、第５実施形態では、乗りかご１３上に証拠記録装置８を配置して、第三者が容易にメモリカード１５を取り出せないようにしているが、鍵などを取り付けるなどの方法で、第三者がメモリカード１５を容易に取り出すことができないように構成されている場合には、証拠記録装置８を監視カメラ２内などに配置し、エレベータの管理者などが乗りかご１３上に出ることなく、メモリカード１５を取り出せるようにしても良い。
【００４７】
《第６実施形態》
図５は本発明によるエレベータシステムの第６実施形態を示すブロック図である。なお、この図において、図１に示す各部と対応する部分には、同じ符号が付してある。
【００４８】
第６実施形態のエレベータシステム１では、映像解析装置５と、音声解析装置１１とを併用し、映像解析と音声解析とを併用して犯罪の発生を検知するようにしている。また、犯罪発生時点から所定時間前を始点とし、所定時間後を終点する映像信号、音声信号、カレンダ情報を証拠記録装置８に記録するとともに、映像特異点情報、または音声特異点情報をエレベータ制御装置１６に供給して防犯運転を開始し、乗りかごを最寄り階に着床させる。また、各階のエレベータホールなどに設けられた各回転灯１７を点灯させるとともに、各階のエレベータホールなどに設けられた各ベル１８を鳴動させて、建物内に居る多数の人に犯罪行為の可能性があることを周知するようにしている。
【００４９】
このように、第６実施形態によれば、乗りかご内で暴力を伴なう犯罪が発生したとみなせる映像、または音声があるとき、エレベータの防犯運転を開始させることで、被害を最小限に抑えることができる。
【００５０】
また、第６実施形態によれば、乗りかご内で暴力を伴なう犯罪が発生したみなせる映像、または音声があるとき、各階のエレベータホールなどに設けられた各回転灯１７を点灯させるとともに、各ベル１８を鳴動させて、建物内に居る多数の人に犯罪行為の可能性があることを周知させつつ、エレベータの乗りかごを最寄階に停止させるようにしている。このため、建物内に居る人々によって、乗りかごの防犯性を高めることができるとともに、被害者側の被害を最小限に抑えることができる。
【００５１】
《第７実施形態》
図６は本発明による第７実施形態を示すブロック図である。なお、この図において、図５に示す各部と対応する部分には、同じ符号が付してある。
【００５２】
この図に示すエレベータシステム１は、映像解析装置５によって、映像特異点情報が生成されたとき、または音声解析装置１１によって、音声特異点情報が生成されたとき、これら映像特異点情報、または音声特異点情報を遠隔通報装置１９に供給して、電話回線、専用回線、インターネット回線などの通信回線網２０に接続されたエレベータの保守会社２１、警備会社２２、警察署２３などに犯罪の発生を通知し、適切な処置を行わせるようにしている。なお、エレベータシステムが設置されたマンションの管理会社に対して犯罪の発生を通知することも可能である。
【００５３】
遠隔通報装置１９は、映像解析装置５から映像特異点情報が出力されたとき、あるいは音声解析装置１１から音声特異点情報が出力されたとき、予め設定された緊急事態発生コード、または「××マンションのエレベータ１号機内で犯罪の可能性があります」など内容を含む音声データなどを生成して、ＲＯＭに格納されているＩＰアドレス、電話番号などで指定された通信先、例えば保守会社２１、警備会社２２、警察署２３などに伝送する。これにより、保守会社２１にいる社員、警備会社２２にいる警備員、警察署２３にいる警察官などが適切な対処、例えば××マンションのエレベータ１号機に駆けつけるなどの処置を行うことができる。
【００５４】
このように、第７実施形態によれば、乗りかご内で暴力を伴なう犯罪が発生したみなせる映像、または音声があるとき、保守会社２１にいる社員、警備会社２２にいる警備員と、警察署２３にいる警察官などに、××マンションのエレベータ１号機に駆けつけさせるなどの処置を行わせ、被害者側の被害を最小限に抑えさせることができる。
【００５５】
また、第７実施形態では、映像解析装置５から映像特異点情報が出力されたとき、あるいは音声解析装置１１から音声特異点情報が出力されたとき、予め設定された緊急事態発生コード、または「××マンションのエレベータ１号機内で犯罪の可能性があります」など内容を含む音声データなどを保守会社２１、警備会社２２、警察署２３などに伝送するようにしているが、映像解析装置５から映像特異点情報が出力されたとき、あるいは音声解析装置１１から音声特異点情報が出力されたとき、証拠記録装置８に記録された映像信号、音声信号、カレンダ情報などを保守会社２１、警備会社２２、警察署２３などに供給させて、これら保守会社２１、警備会社２２、警察署２３などに設けられた記録装置に記録するようにしても良い。
【００５６】
このようにすることにより、犯罪者などによって、証拠記録装置８が破壊されて、犯行時の映像、音声、カレンダ情報などが破壊されても、保守会社２１、警備会社２２、警察署２３などの記録装置に犯罪の証拠となる映像、音声、カレンダ情報などを残すことができる。
【図面の簡単な説明】
【００５７】
【図１】本発明によるエレベータシステムの第１、第２実施形態を示すブロック図。
【図２】第２実施形態における映像解析装置の犯罪検知動作例を示す模式図。
【図３】本発明によるエレベータシステムの第３、第４実施形態を示すブロック図。
【図４】本発明によるエレベータシステムの第５実施形態を示す概略構成図。
【図５】本発明によるエレベータシステムの第６実施形態を示すブロック図。
【図６】本発明によるエレベータシステムの第７実施形態を示すブロック図。
【符号の説明】
【００５８】
１：エレベータシステム
２：監視カメラ
３：映像記録装置
５：映像解析装置
６：マイク
７：音声記録装置
８：証拠記録装置
１１：音声解析装置
１２：音声／映像ユニットボックス
１３：乗りかご
１４：開口部
１５：メモリカード
１６：エレベータ制御装置
１７：回転灯
１８：ベル
１９：遠隔通報装置
２０：通信回線網
２１：保守会社
２２：警備会社
２３：警察署
【図１】
2007223691.tif 000003
【図２】
2007223691.tif 000004
【図３】
2007223691.tif 000005
【図４】
2007223691.tif 000006
【図５】
2007223691.tif 000007
【図６】
2007223691.tif 000008